(57)【要約】【課題】携帯電話等の超小型装置にも対応可能な超小型・高冷却効率で、より広範囲で被冷却構造に適した冷却を実現する。【解決手段】軸方向両側に回転軸が導出されたモータ部２０と、両回転軸の端部にそれぞれ連結され回転軸と共に回転する一対の遠心型ファンインペラ３０，４０と、モータ部及び両ファンインペラを覆い吸気口及び排気口が形成されたケーシング１０とから構成する。一対のファンインペラはそれぞれ、各インペラ翼の軸方向長さが各インペラ翼で構成する円の外径以上に設定され、ケーシングには、両ファンインペラの端壁部との反対側に形成された開口部に対向して吸気口が形成されると共に、両ファンインペラの外周部に対向して排気口が形成されている。【選択図】        図１
2005023814.tif 000002
【特許請求の範囲】
【請求項１】
携帯可能な電子機器または小型の装置を冷却するためのファンモータであって、
軸方向両側に負荷連結用端部を有する回転軸を備えた回転駆動部と、回転軸の両端部にそれぞれ連結され該回転軸と共に回転する一対の遠心型ファンインペラと、前記回転駆動部及び両ファンインペラを覆い吸気口及び排気口が形成されたケーシングと、からなり、
前記一対のファンインペラはそれぞれ、回転軸が連結された円盤状端壁部と、この端壁部の外周部より立ち上がる形で軸方向に延設され回転軸の軸心を中心とした円周上に配列された複数のインペラ翼とを備え、かつ、各インペラ翼の軸方向長さが各インペラ翼で構成する円の外径以上に設定されており、
前記ケーシングには、両ファンインペラの端壁部との反対側に形成された開口部に対向して吸気口が形成されると共に、両ファンインペラの外周部に対向して排気口が形成されており、
前記ファンインペラの回転によってケーシングの吸気口より開口部を通してファンインペラ内部に空気が吸引されると共に、ファンインペラの各インペラ翼より外周方向に押しやられた空気がケーシングの排気口より排出されることを特徴とするファンモータ。
【請求項２】
前記回転駆動部は、固定部に支持されたステータの駆動コイルとロータに設けられたロータマグネットとを備えた１組の磁気回路部を有してなり、前記ロータと一体になって回転する回転軸が回転駆動部を貫通するように固定部に回転自在に支持され、回転軸の軸方向両端部が回転駆動部より導出しそれぞれにファンインペラが連結されている請求項１記載のファンモータ。
【請求項３】
前記回転駆動部は、固定部に支持され駆動コイルを有するステータとロータに設けられたロータマグネットとを備えた磁気回路部を２組有してなり、それぞれのロータと一体になって回転する回転軸が固定部に回転自在に支持され、それぞれの回転軸の端部が回転駆動部より導出し、ファンインペラが連結されている請求項１記載のファンモータ。
【請求項４】
前記回転駆動部は、同一形状であってそれぞれの先端部側に回転軸端部が導出された一対のモータ部からなり、両モータ部はそれぞれの基端部を背合わせにして一体に連設されており、両モータ部のそれぞれの回転軸端部にファンインペラが連結されている請求項１又は３記載のファンモータ。
【請求項５】
ケーシングは細長筒状に形成されており、その長手方向両端部にそれぞれ吸気口が形成され、対のファンインペラにそれぞれ対向した二つの排気口がケーシングの側面において軸心に対する同一回転位置に配置されている請求項１〜４記載のファンモータ。
【請求項６】
ケーシングは細長筒状に形成されており、その長手方向両端部にそれぞれ吸気口が形成され、対のファンインペラにそれぞれ対向した二つの排気口がケーシングの側面において互いに軸心に対し異なる回転位置に配置されている請求項１〜４記載のファンモータ。
【発明の詳細な説明】
【０００１】
【産業上の利用分野】
本発明は、電子機器等に用いられる冷却用ファンモータに関し、特に、高静圧および高風量が要求されるファンモータに関する。
【０００２】
【従来の技術】
従来の遠心型ファンモータは、軸方向長さが比較的短い扁平状ファンインペラを用いて構成されている（例えば、特許文献１参照）。
【０００３】
この従来の遠心型ファンモータを図８及び図９を用いて説明する。図８は遠心型ファンモータの平面図を示し、図９は図８のＸ−Ｏ−Ｙ−Ｚ線に関する縦断面図を示す。このファンモータは、回転駆動力を生み出すモータ部４、気流を生み出すインペラ部１，およびハウジング６により構成される。なお、このファンモータは、図８のＯを回転軸としている。
【０００４】
インペラ部１は、モータ部４の外周側に配置され、下端壁２と翼３により構成されている。下端壁２は、モータ部４の軸方向下部の回りに配置された環状の板部材であり、軸方向に平面が向いている。翼３は、下端壁２の外周側部分に下端が固定されている。翼３は下端壁２にのみ支持される、いわゆる片持ち構造を有している。モータ部４の正回転に伴い、翼３は矢印Ｂの方向の気流を生みだす。この気流に引き込まれる形で、吸気口８から吸気流が矢印Ａの方向に生じ、他方この気流Ｂに押し出される形で、排気流が矢印Ｃの方向で生じる。そして翼３の外形部半径をｒ、軸線方向の長さをｈとすると、従来の電子機器等の冷却用に使用される遠心ファンのインペラ部１の形状は、翼半径ｒをその長さｈに対して大きくする傾向にあった。これは、軸方向の省スペース化が目的であるが、更に翼３の回転周速向上による排気流Ｂの風量および静圧の向上をも目的としていたからである。従って本発明に直接関連する電子機器等の冷却用途における片持ちインペラを有する従来の遠心型ファンモータでは、そのインペラは、ｒ＞ｈの関係を有する薄型形状であった。
【０００５】
【特許文献１】
特開２００３−０３１０９３号公報
【発明が解決しようとする課題】
かかる従来の遠心型ファンモータでは、図９に示す吸気流Ａが気流Ｂを押し下げることから、気流Ｂは下端壁２にぶつかり、壁面との間で大きな風損が生じている。なぜなら、インペラ部１の回転軸上の風速分布を考えると、吸入されるインペラ内気流の風速は、インペラ下端壁２の上面で最大になっていることが予想されるからである。この風損のため、ファンの流量は減少し、このファンモータが本来有する性能に比較して、それ以下の冷却効率しか実現できなかった。
【０００６】
一方、近年、電子機器の超小型化・携帯化が進み、携帯電話やモバイル用パーソナルコンピュータ等の装置は一層の小型化が要請されてきている。その反面、電子回路の集積度は向上し、処理スピードも増大していることから、ＬＳＩチップおよび内蔵電子回路部の総発熱量は増加傾向にあり、より小型で冷却効率の高いファンモータが求められていた。
【０００７】
本発明の目的は、例えば携帯電話等の超小型装置にも対応可能な超小型・高冷却効率のファンモータを提供することである。本発明の他の目的は、最少の吸込み口面積で最大の冷却効果を上げるファンモータを提供することである。本発明のさらに他の目的は、より広範囲で被冷却構造に適した冷却を実現し得るファンモータを提供することである。
【０００８】
【課題を解決するための手段】
かかる目的を達成するために、本発明に係るファンモータは、軸方向両側に回転軸が導出された回転駆動部と、両回転軸の端部にそれぞれ連結され回転軸と共に回転する一対の遠心型ファンインペラと、回転駆動部及び両ファンインペラを覆い吸気口及び排気口が形成されたケーシングとから構成されている。この一対のファンインペラはそれぞれ、回転軸が連結された円盤状端壁部と、この端壁部の外周部より立ち上がる形で軸方向に延設され回転軸の軸心を中心とした円周上に配列された複数のインペラ翼とを備えており、かつ、各インペラ翼の軸方向長さが各インペラ翼で構成する円の外径以上に設定されている。また、ケーシングには、両ファンインペラの端壁部との反対側に形成された開口部に対向して吸気口が形成されると共に、両ファンインペラの外周部に対向して排気口が形成されている。
【０００９】
回転駆動部が動作すると、その軸方向両側に位置する一対のファンインペラが回転し、ケーシングの２箇所の吸気口より両ファンインペラのそれぞれの開口部を通して内部に空気が吸引され、両ファンインペラにおいて、その各インペラ翼より外周方向に押しやられた空気がケーシングの２箇所の排気口よりそれぞれ排出される。
【００１０】
ファンインペラ内部においては、その開口部から端部壁に向かって流れる軸方向の気流が生じるが、インペラ翼の軸方向長さがインペラ翼の外周部外径以上に設定されていることから、インペラ翼の内部の気流はその大半が端壁部に到達するまでに周方向外側に向かって流れ、端壁部の壁面では十分な気流流速の低下が生じている。このため、従来の遠心型ファンモータに比べて、端壁部の壁面での風損が低下し、冷却効率が向上する。
【００１１】
ここで、上述したファンモータにおいて、回転駆動部を、固定部に支持されたステータの駆動コイルとロータに設けられたロータマグネットとを備えた１組の磁気回路部を用いて構成することができる。この場合、ロータと一体になって回転する回転軸は回転駆動部を貫通するように固定部に回転自在に支持されることが必要であり、この回転軸の軸方向両端部を回転駆動部より導出させ、これにそれぞれファンインペラを連結する。
【００１２】
或いは、前記回転駆動部を、固定部に支持され駆動コイルを有するステータとロータに設けられたロータマグネットとを備えた磁気回路部を２組備え、それぞれのロータと一体になって回転する回転軸を固定部に回転自在に支持し、それぞれの回転軸の端部を回転駆動部より導出してファンインペラを連結するようにしてもよい。
【００１３】
特に、回転駆動部を同一形状の一対のモータ部から構成し、両モータ部をそれぞれの基端部を背合わせにして一体に連設し、両モータ部のそれぞれの先端部側の回転軸端部にファンインペラを連結する構成とすることもできる。
【００１４】
また、上述したファンモータにおいて、ケーシングを細長筒状に形成し、その長手方向両端部にそれぞれ吸気口を形成すると共に、対のファンインペラにそれぞれ対向した二つの排気口をケーシングの側面において軸心に対する同一回転位置に配置することができる。このケーシングに形成された二つの排気口は、当該ファンモータが適用される電子機器等の装置の冷却レイアウトに応じては、ケーシングの側面において互いに軸心に対し異なる回転位置に配置することもでき、例えば互いに軸心に対し９０度の回転対象関係にある位置に配置したり、軸心に対し１８０度の回転対象関係にある位置に配置することもでき、冷却風の送風バリエーションを適宜選定することが可能になる。
【００１５】
なお、上述したファンインペラは、樹脂成形で構成するのが望ましく、例えば液晶ポリマー、カーボン繊維強化液晶ポリマー、ガラス繊維強化液晶ポリマー、カーボン繊維およびガラス繊維強化液晶ポリマー等で構成できる。勿論、これに限らず、軟鉄、ステンレス、アルミニューム、またはセラミックによりその一部または全部を構成することもできる。
【００１６】
【発明の実施の形態】
本発明による遠心型ファンモータの実施形態につき図面を用いて説明する。図１〜図４は第１の実施形態を示し、図１はファンモータの概略正面図、図２は切断正面図、図３は側面図、図４はファンモータによる気流を説明する概略斜視図である。なお、図１，図２の左右方向が遠心型ファンモータの回転軸線方向であり、以下の説明では図１，図２に従って「上側」、「下側」等を規定するが、それは説明の便宜のためであってファンモータの実際の取り付け姿勢を限定するものではない。
【００１７】
このファンモータは、図１に示すように、左右方向に細長の筒状ケーシング１０、このケーシング１０の中央部に回転軸心を左右方向に配置して固定された回転駆動部としてのモータ部２０、及びこのモータ部２０の左右両側に配置されそれぞれモータ部２０によって回転駆動される一対の遠心型ファンインペラ３０，４０により構成される。両ファンインペラ３０，４０のそれぞれの回転軸心はモータ部２０の回転軸心と一致している。
【００１８】
ケーシング１０は、図４に示すように、モータ部２０のハウジング２１外周面を含み、このハウジング２１にそれぞれ有底筒状のインペラカバー１１，１２を連結して構成され、両インペラカバー１１，１２の底面つまりケーシング１０の左右端面にそれぞれ円形の吸気口１３，１４が形成されると共に、両インペラカバー１１，１２のそれぞれの筒部周面の一部に横長の排気口１５，１６が形成されている。この両排気口１５，１６はケーシング２１の周方向同一の方向に向くよう（具体的には前方に向いて）配置されている。
【００１９】
回転駆動部としてのモータ部２０は、ブラシレスＤＣモータからなり、図２に示すように、基盤部２１ａの外周に周壁部２１ｂを設けたハウジング２１と、このハウジング２１の基盤部２１ａに支持固定された環状ステータ２２と、基盤部２１ａの中心部及びステータ２２の内側に貫通固定された左右方向に長いスリーブ軸受（すべり軸受）２３と、このスリーブ軸受２３の内側に挿通されて回転自在に支持された回転軸２４と、回転軸２４と一体的回転可能なように連結され内側にステータ２２に対向するよう円筒状ロータマグネット２５を装着してロータを構成するロータヨーク２６とを備えてなる。このロータヨーク２６は例えば磁性金属板をプレス加工することによりカップ状に形成され、その天板中央部を回転軸に圧入等で連結している。回転軸２４の左右両端部（軸方向両端部）はモータ部２０よりそれぞれ軸方向両側に導出されている。
【００２０】
ステータ２２は、プレス抜き成形された磁性鋼板（ラミネーション）を複数枚軸方向に積層して構成され、周方向に例えば４極の磁極歯を有し、この各磁極歯に多相（例えば２相）のコイルを巻回して構成されている。多相のコイルのコイル終端は円盤部２１ａを通してその裏面（左面）に貼着されたフレキシブル回路基板の端子に半田付等で電気的に接続されており、このフレキシブル回路基板のリード端子はハウジング２１より外部に引き出されている。この実施形態では、図示していないがファンモータの外部にドライバ回路が備えられ、フレキシブル回路基板のリード端子がこのドライバ回路に接続されている。そして、このドライバ回路を作動させてステータ２２のコイルに通電してこれを励磁すると、ステータ２２とロータマグネット２５との相互の電磁作用でロータに回転力が作用し、回転軸２４と共に回転する。
【００２１】
ケーシング１０の両インペラカバー１１，１２内にはそれぞれ有底円筒状のファンインペラ３０，４０が収容されている。このファンインペラ３０，４０はそれぞれ、図２及び図３に示すように、円盤状端壁部３１，４１と、この端壁部３１，４１の外周部より立ち上がる形で軸方向に延設され端壁部３１，４１の軸心を中心とした円周上に周方向等間隔に配列された複数のインペラ翼３２，４２とを備えて構成され、各インペラ翼３２，４２の先端部は円環状連結部３３，４３で連結され、この先端部分での強度が確保されている。そして、上記モータ部２０における回転軸２４の両端部にそれぞれ端壁部３１，４１をその軸心部で連結することにより、両ファンインペラ３０，４０が回転軸２４に片持ち支持され、回転軸２４と共に回転できるようになっている。両ファンインペラ３０，４０は、排気流を発生可能なインペラ翼３２，４２の軸線方向長さＨ１，Ｈ２が各インペラ翼３２，４２で構成する円の外径Ｒ１，Ｒ２（例えばＲ１＝Ｒ２）以上に設定されている。
【００２２】
対のファンインペラ３０，４０はそれぞれのインペラ翼３２，４２の回転軸線に対する傾きが、モータ部２０に対して左右対称になるように設定され、両ファンインペラ３０，４０が回転軸２４と共に同一方向に回転することにより共に径方向外方つまり遠心方向へ気流が生じるようになっている。すなわち、両ファンインペラ３０，４０が回転軸２４と共に一定方向に回転すると、それぞれのインペラ翼３２，４２の作用により内周側から外周側への空気の流れが生じ、これに伴ってファンインペラ３０，４０の端壁部３１，４１との反対側の開口部３４，４４より内部へ吸引する気流が発生し、それぞれ遠心ファンとして機能する。
【００２３】
上述したケーシング１０の両端面の吸気口１３，１４はそれぞれファンインペラ３０，４０の開口部３４，４４に同軸上に近接対向している。また、ケーシング１０の両インペラカバー１１，１２における内周面は、各インペラ翼３２，４２より遠心方向に流れた空気をファンインペラ３０，４０の回転方向に移動させインペラカバー１１，１２のそれぞれの排気口１５，１６に案内するような曲面に形成されている。従って、両ファンインペラ３０，４０の回転によりそれぞれ生じる気流は、外部空気をケーシング１０の両吸気口１３，１４から開口部３４，４４を経てファンインペラ３０，４０内部にそれぞれ引き込み、次にファンインペラ３０，４０の外周方向に吐き出し、さらにインペラカバー１１，１２の内周面を通ってそれぞれ排気口１５，１６より前面に吐き出す流れとなり、送風機能を有することになる。
【００２４】
このように構成されたファンモータにあっては、これを例えば携帯可能な電子機器または小型の装置の内部に、ファンモータのケーシング１０の両側に吸気のための空間を確保した上で、ケーシング１０の前面の位置に被冷却体が位置するような配置で収容する。そして、ファンモータのモータ部２０を駆動することにより、ケーシング１０の両側の吸気口１３，１４より機器内部・装置内部の空気が取り込まれてこれがケーシング１０の前面の排気口１５，１６より吹き出される気流が生じ、この空気流が被冷却体に導かれて強制風冷されることになる。
【００２５】
本発明に係るファンモータでは、図８に示した従来の遠心型ファンモータに比較して、ファンインペラ３０，４０の各インペラ翼３２，４２の外径Ｒ１，Ｒ２が、ファンインペラ３０，４０における排気流を発生可能なインペラ翼３２，４２の軸線方向長さ（より具体的には端壁部３１，４１の開口部側の面と円環状連結部３４，４４の端壁部側の面との間の部分の軸線方向長さ）Ｈ１，Ｈ２（例えばＨ１＝Ｈ２）より長い形状を有している。加えて本発明に係るファンモータは、携帯可能な電子機器または小型の装置を高い静圧により高効率に冷却することを可能にしており、Ｒ１，Ｒ２＜２０ｍｍであることを特徴としている。
【００２６】
インペラ翼３２，４２の軸線方向長さＨ１，Ｈ２を、インペラ翼３２，４２の外径Ｒ１，Ｒ２に比較して長くすると、インペラ翼３２，４２による回転外周方向の気流により生じた吸気流は、開口部３４，４４より端壁部３１，４１に到達するまでに上記回転外周方向の気流にスムーズに乗り変わり、端壁部３１，４１の面での風速を低減することが可能となり、損失の小さい高効率の空気流を発生できることになる。加えて、モータ部２１の駆動によりその両側に配置したファンインペラ３０，４０を同時に駆動し、それぞれにおいて空気流を発生して被冷却体に送風できることになるため、風量が格段に増加し、高密度実装の小型機器・装置における内部冷却に十分対応できることになる。
【００２７】
特に、図４に示すように、両ファンインペラ３０，４０のそれぞれの作動により、ケーシング１０の両側の吸気口１３，１４より矢印Ａ１，Ａ２の如く吸気した空気をケーシング１０内部に吸引し、ケーシング１０の前面の排気口１５，１６より矢印Ｃ１，Ｃ２の如く吹き出す２系統の気流を形成する構成としている。このような構成の場合、吸気と排気とがほぼ同一平面上で行われるため、例えばノートパソコンのような扁平薄型の電子機器内部に空気流を形成するに適している。
【００２８】
このように、本発明に係るファンモータは、特に携帯可能な電子機器や小型装置の冷却用に開発されたものであり、より高い冷却効率を得るためには、ファン形状が小さい分、より高速の回転数で使用することが望ましい。通常２００００ｒｐｍ〜３００００ｒｐｍの範囲で使用することが推奨されるが、これはモータ性能、消費電力対冷却性能のバランス、一定以下の振動損失や雑音量を実現すること等の要求条件を満たす必要があるからである。これらの条件を十分クリアする高性能モータを実現できれば、３００００ｒｐｍ以上、更には４００００ｒｐｍを越える回転数で稼動させることにより、一層の高静圧・高冷却効率のファンモータを実現することができる。
【００２９】
他方この場合のインペラ翼の直径Ｒ１，Ｒ２は、実用上２０ｍｍ以下であること望ましい。携帯可能な電子機器の厚さが、通常２０ｍｍ前後であり、これに内蔵する必要があるからである。また携帯電話等を考慮した場合、インペラ翼の径は１０ｍｍ以下であることが好ましい。勿論本発明のファンモータの特性は、これより径の大きい１５ｍｍや２０ｍｍ径のインペラ翼においても実現することが可能であるが、端壁部３１，４１への吸気流の衝突によるロスを抑えるためには、５０００ｒｐｍ以上、望ましくは１００００ｒｐｍ以上の高速回転が必要となり、ファンの半径が大きくなると、モータに負担がかかることとなる。高性能モータを使用することにより実現可能であるが、実用的にはよりモータ負荷の少ないＲ１，Ｒ２＜２０ｍｍのインペラ翼を採用することが望ましい。また、Ｒ１，Ｒ２＜１０ｍｍであることがさらに好ましい。
【００３０】
ファンインペラ３０，４０は、液晶ポリマー、カーボン繊維強化液晶ポリマー、ガラス繊維強化液晶ポリマー、カーボン繊維およびガラス繊維強化液晶ポリマー、軟鉄、ステンレス、アルミニューム、またはセラミックによりその一部または全部が構成されていることが好ましい。この結果、ファンインペラ３０，４０は十分な剛性を確保した上で軽量化・小型化を実現できる。
【００３１】
なお、上述の実施形態においては、ファンモータによって作り出す２系統の気流を同一方向に吹き出す構成としたが、これに限らず、一方の送風方向に対して他方の送風方向を角度を変えて設定することが可能である。すなわち、図４に示すように、矢印Ｃ２の吹き出しに対しこれと９０度の角度差を形成して矢印Ｃ１’の吹き出しを設定したり、１８０度の角度差を形成して矢印Ｃ１”の吹き出しを設定することもできる。これは例えばケーシング１０の左側のインペラカバー１１を右側のインペラカバー１２に対して９０度、１８０度回転させて結合することにより実現する。勿論、６０度や３０度等の他の角度差を設定してもよい。
【００３２】
このように、一つのファンモータで異なる２方向に同時に空気流を形成できるものとすれば、高密度実装の小型機器・装置における内部構造，レイアウト，発熱源形状等に応じ、最適な冷却システムを構築できることになる。
【００３３】
＜他の実施形態＞
次に図５に基づき、本発明の第２の実施形態について説明する。図５は、ファンモータの一部を回転駆動部を中心に示したものであり、第１の実施形態で説明したものと同一符号のものは同一もしくは相当するものを示すものとする。
【００３４】
図５に示す実施形態では、回転駆動部としてのモータ部２０のロータを片側のインペラファン４０の端壁部４１に一体に連結している。すなわち、ファンインペラ４０の端壁部４１におけるモータ部２０側の面の外周部寄りにかしめ用円環状突起４５を形成し、円筒体からなるロータヨーク２６のファンインペラ４０側の端部に内周側への折曲げにより環状端縁２７を形成し、この環状端縁２７を円環状突起４５の外側に嵌合した上で、環状突起４５を外周方向に塑性変形してかしめることにより、ロータヨーク２６を端壁部４１に一体に結合している。この場合、端壁部４１がロータの一部を構成することになる。
【００３５】
このような構成の実施形態によれば、モータ部２０のロータと片側のファンインペラ４０とを一体構造とすることができ、ファンインペラ４０において軸方向の気流を阻止する機能のみならず、モータ部２０の壁面としての機能をも有している。このため、部品点数が少なくなるとともに、第１の実施形態に比較して長手方向寸法を小さくすることができ、ファンモータが軸線方向に小型化される。さらにはファンモータが軽量化される。
【００３６】
次に図６に基づき、本発明の第３の実施形態について説明する。この実施形態では、回転駆動部を一対のモータ部１２０Ａ，１２０Ｂにより構成し、このモータ部１２０Ａ，１２０Ｂの回転軸にそれぞれ遠心型ファンインペラ１３０，１４０を連結してモータ部１２０Ａ，１２０Ｂによりそれぞれファンインペラ１３０，１４０を回転できるように構成し、両モータ部１２０Ａ，１２０Ｂを背合わせ状態で一体的に連結し、これを横長筒状のケーシング１１０に収容して両翼型ファンモータを構成したものである。
【００３７】
ファンインペラ１３０，１４０はそれぞれ、第１、第２の実施形態の場合と同様に、回転駆動部側に端壁部を有し、この端壁部の外周部より立ち上がる形で軸方向に延設され回転軸心を中心とした円周上に配列された複数のインペラ翼を備え、回転駆動部との反対側に開口部を設けている。両ファンインペラ１３０，１４０はそれぞれ、端壁部をモータ部１２０Ａ，１２０Ｂの回転軸に連結することにより片持ち支持されている。
【００３８】
ケーシング１１０の長手方向両端面にはそれぞれ吸気口が形成され、両ファンインペラ１３０，１４０のそれぞれの開口部が吸気口に対向し、ファンインペラ１３０，１４０の回転により吸気口より外部空気を吸引するようになっている。ケーシング１１０の周側面には、両ファンインペラ１３０，１４０にそれぞれ対応して排気口が形成されており、ファンインペラ１３０，１４０の各インペラ翼より周方向外側に吹き出された空気がケーシング１１０の内周面を通って排気口に案内され、該排気口より外部に送風される。
【００３９】
この場合、モータ部１２０Ａ，１２０Ｂはその回転軸を互いに反対方向に回転させるような構成になっており、両モータ部１２０Ａ，１２０Ｂを背合わせ配置することにより結果的に両ファンインペラ１３０，１４０を同一方向に回転させることができる。勿論、両モータ部１２０Ａ，１２０Ｂをその回転軸を同一方向に回転させる構成とし、両モータ部１２０Ａ，１２０Ｂを背合わせ配置して両ファンインペラ１３０，１４０を互いに反対方向に回転させる構成とすることもでき、この場合ケーシング１１０の内面形状をファンインペラ１３０，１４０に合わせて設定することにより、図４で説明したような種々の送風（Ｃ１，Ｃ１’，Ｃ１”とＣ２）を実現できる。
【００４０】
次に、図７に基づき本発明の第４の実施形態について説明する。この実施形態は、第３の実施形態と同様に回転駆動部を一対のモータ部２２０Ａ，２２０Ｂにより構成したものであるが、第３の実施形態と異なる点は、このモータ部２２０Ａ，２２０Ｂとこれによりそれぞれ回転される一対のファンインペラ２３０，２４０とを一体的に構成し、加えて、モータ部２２０Ａ，２２０Ｂのハウジング２２１Ａ，２２１Ｂとこれにそれぞれ連結されたインペラカバー２１１，２１２とでファンモータのケーシングを構成した点である。
【００４１】
背合わせ状態で一体に連結された両モータ部２２０Ａ，２２０ＢはブラシレスＤＣモータからなり、基盤部の外周に周壁部を設けた構成のハウジング２２１Ａ，２２１Ｂと、このハウジング２２１Ａ，２２１Ｂの基盤部に支持固定された環状ステータ２２２Ａ，２２２Ｂと、基盤部の中心部及びステータ２２２Ａ，２２２Ｂの内側に固定された左右方向に長いスリーブ軸受２２３Ａ，２２３Ｂと、このスリーブ軸受２２３Ａ，２２３Ｂの内側に挿通されて回転自在に支持された回転軸２２４Ａ，２２４Ｂと、回転軸２４と一体的回転可能なように連結され内側にステータ２２２Ａ，２２２Ｂに対向するよう円筒状ロータマグネット２２５Ａ，２２５Ｂを装着した円筒状ヨーク２２６Ａ，２２６Ｂとを備えてなる。回転軸２２４Ａ，２２４Ｂのそれぞれの基端はそれぞれハウジング２２１Ａ，２２１Ｂによりスラスト支持されている。
【００４２】
一方、ファンインペラ２３０，２４０はそれぞれ、円盤状端壁部２３１，２４１と、この端壁部２３１，２４１の外周部より軸方向外方に立ち上がる形で延設され端壁部２３１，２４１の軸心を中心とした円周上に周方向等間隔に配列された複数のインペラ翼２３２，２４２と、端壁部２３１，２４１の外周部に軸方向内方に延設された円筒状部２３５，２４５とを例えば樹脂により一体成形して構成されている。
【００４３】
そして、モータ部２２０Ａ，２２０Ｂの回転軸２２４Ａ，２２４Ｂの先端部がそれぞれファンインペラ２３０，２４０の中心に連結されると共に、円筒状部２３５，２４５の内周面にヨーク２２６Ａ，２２６Ｂを介してロータマグネット２２５Ａ，２２５Ｂが装着され、これにより端壁部２３１，２４１及び円筒状部２３５，２４５がロータホルダを兼用し、モータ部２２０Ａ，２２０Ｂとファンインペラ２３０，２４０とが一体的に構成されることになる。
【００４４】
ファンインペラ２３０，２４０の外周を覆うインペラカバー２１１，２１２はそれぞれハウジング２２１Ａ，２２１Ｂの周壁部に連結され、ハウジング２２１Ａ，２２１Ｂの周壁部及びインペラカバー２１１，２１２によりファンモータのケーシング２１０が構成される。両インペラカバー２１１，２１２には、ケーシング２１０の両端面に位置する吸気口２１３，２１４がそれぞれ形成され、これがそれぞれファンインペラ２３０，２４０の開口部２３４，２４４に同軸上に近接対向している。また、ケーシング２１０の両インペラカバー２１１，２１２における内周面は、各インペラ翼２３２，２４２より遠心方向に流れた空気をファンインペラ２３０，２４０の回転方向に移動させインペラカバー２１１，２１２のそれぞれの排気口（図示せず）に案内するような曲面に形成されている。
【００４５】
この実施形態においても、対のモータ部２２０Ａ，２２０Ｂの回転方向は同一方向でも異なる方向であってもよく、インペラカバー２１１，２１２に形成される排気口も共に同一方向を向けることも互いに角度差（９０度，１８０度）を設けることもできる。特にこの実施形態の場合、モータ部２２０Ａ，ファンインペラ２３０，インペラカバー２１１と、モータ部２２０Ｂ，ファンインペラ２４０，インペラカバー２１２とをそれぞれ片翼ファンとしてユニット構成しておけば、両ユニットを背合わせに結合することで両翼ファンモータを得ることができ、製造が簡単になる。
【００４６】
以上、本発明の実施形態につき説明したが、本発明はこれら実施形態に限定されるものではなく、本発明の主旨から逸脱しない範囲であれば、様々な変更が可能である。例えば、前記実施形態ではファンモータを構成するファンインペラとモータ部は軸線方向に並んで配置されていたが、図９に示す従来技術のようにモータ部がインペラ部の内周側に配置された（つまり、両者が軸線方向に全部又は一部が重なった）構成としてもよい。
【００４７】
またインペラ翼の回転軸方向の上端側内周角部の一部または全部が円弧形状またはこれに近似する曲線形状で面取りされていてもよい。インペラ翼の回転軸方向の上端側内周角部に円弧状の面取りを施すことにより、インペラへの吸気流がよりスムースに流入すると同時に、不要な乱流を抑制する。その結果、冷却効率の良いファンインペラ、およびこれを用いたファンモータを実現できる。
【００４８】
さらに、前記実施形態におけるモータ部では、回転軸を支持する軸受としてすべり軸受であるスリーブ軸受を用いた場合を示したが、これが一対のボール軸受を使用する形態のものであってもよく、或いは動圧軸受を用いるものであってもよい。また、実施形態ではモータ部がアウターロータタイプモータの場合であるが、インナーロータタイプモータとして構成することもできる。
【００４９】
【発明の効果】
以上説明したように、本発明のファンモータによれば、従来の遠心ファンに比べて軸方向に長いファンインペラを高速回転させる構成としたため、端壁部の壁面での風損等が低下し、従来にない高静圧のファンモータを実現でき、しかも回転駆動部の両側にこれによりそれぞれ回転される一対のファンインペラを設けたため、高静圧でありながら必要な風量を確保でき、その結果密度の高い小型の電子機器や電子装置を従来の数倍の効率で冷却することが可能になる。
【図面の簡単な説明】
【図１】本発明のファンモータの第１の実施形態を示す概略構成図である。
【図２】図１の詳細を示す縦断面図である。
【図３】図２の側面図である。
【図４】図１の気流の様子を説明するためのケーシングの斜視図である。
【図５】本発明のファンモータの第２の実施形態を示す一部の縦断面図である。
【図６】本発明のファンモータの第３の実施形態を示す概略構成図である。
【図７】本発明のファンモータの第４の実施形態を示す縦断面図である。
【図８】従来の遠心型ファンモータの平面図である。
【図９】図８のＸ−Ｏ−Ｙ−Ｚ線にて切断した縦断面図である。
【符号の説明】
１０，１１０，２１０    ケーシング
１１，１２，２１１，２１２    インペラカバー
１３，１４，２１３，２１４    吸気口
１５，１６    排気口
２０，１２０Ａ，１２０Ｂ，２２０Ａ，２２０Ｂ    モータ部
２１，２２１Ａ，２２１Ｂ    ハウジング
２２，２２２Ａ，２２２Ｂ    ステータ
２４，２２４Ａ，２２４Ｂ    回転軸
２５，２２５Ａ，２２５Ｂ    ロータマグネット
３０，４０，１３０，１４０，２３０，２４０    ファンインペラ
３１，４１，２３１，２４１    端壁部
３２，４２，２３２，２４２    インペラ翼
【図１】
2005023814.tif 000003
【図２】
2005023814.tif 000004
【図３】
2005023814.tif 000005
【図４】
2005023814.tif 000006
【図５】
2005023814.tif 000007
【図６】
2005023814.tif 000008
【図７】
2005023814.tif 000009
【図８】
2005023814.tif 000010
【図９】
2005023814.tif 000011